(57)【要約】      （修正有）【課題】耐久性、防水、防光、防風効果が高く、老人や子供の使用に適する。【解決手段】一端は人体が入れられる開口部２に形成した筒状の寝袋１と、該寝袋１内に挿入可能な、破砕した軟質炭８と天然のパルプ９と組み合わせて所定の厚さの平板形状に形成した芯材６の表裏を、布地７により被覆して形成したマット５と、該マット５の外周を被覆しうる大きさで、アルミ材１６を有して人体の発する遠赤外線の熱を反射するように形成したアルミシート１５とからなる。【選択図】図１
0003112197.tif 000002
【実用新案登録請求の範囲】
【請求項１】
一端は人体が入れられる開口部２に形成した筒状の寝袋１と、該寝袋１内に挿入可能な、破砕した軟質炭８と天然のパルプ９と組み合わせて所定の厚さの平板形状に形成した芯材６の表裏を、布地７により被覆して形成したマット５と、該マット５の外周を被覆しうる大きさで、アルミ材１６を有して人体の発する遠赤外線の熱を反射するように形成したアルミシート１５とからなる災害袋。
【考案の詳細な説明】
【技術分野】
【０００１】
本考案は、災害時の野営を簡単にし、また、アトピー性皮膚炎等アレルギー疾患の人や、老人、子供が使用する災害袋に係るものである。
【背景技術】
【０００２】
従来、キャンプのテント内で使用する寝袋は公知である。
【考案の開示】
【考案が解決しようとする課題】
【０００３】
前記公知例の寝袋は、健康な人が、適切な場所で使用することを前提としたものであるため、テントの外を含めた野外で、老人や子供が使用するとき、耐久性、防水、防光、防風効果が低く、使用できないことがあるという課題がある。
また、老人や子供は抵抗力が弱いので、健康面での問題がある。
本考案は、老人、子供、また、アトピー性皮膚炎等アレルギー疾患の人が使用できるようにすると共に、このような人々でも災害時の野営状態で簡単に使用できるように、特段の工夫したものである。
【課題を解決するための手段】
【０００４】
よって、本考案は、一端は人体が入れられる開口部２に形成した筒状の寝袋１と、該寝袋１内に挿入可能な、破砕した軟質炭８と天然のパルプ９と組み合わせて所定の厚さの平板形状に形成した芯材６の表裏を、布地７により被覆して形成したマット５と、該マット５の外周を被覆しうる大きさで、アルミ材１６を有して人体の発する遠赤外線の熱を反射するように形成したアルミシート１５とからなる災害袋としたものである。
【考案の効果】
【０００５】
本考案は、一端は人体が入れられる開口部２に形成した筒状の寝袋１と、該寝袋１内に挿入可能な、破砕した軟質炭８と天然のパルプ９と組み合わせて所定の厚さの平板形状に形成した芯材６の表裏を、布地７により被覆して形成したマット５と、該マット５の外周を被覆しうる大きさで、アルミ材１６を有して人体の発する遠赤外線の熱を反射するように形成したアルミシート１５とからなる災害袋としたものであるから、綿素材の寝袋１は通気性がよく快適に過ごせ、また、寝袋１内で寝返りする際に、マット５が寝袋１に対して滑るので老人などでも、長時間使用でき、床ずれの発生の緩和が期待でき、また、軟質炭８を混入させた芯材６により形成したマット５は断熱効果が期待でき、また、マット５上で就寝すると、アトピー性皮膚炎等アレルギー疾患を悪化させない。即ち、主成分が炭であるから、脱臭、吸着、除湿の効果に優れ、害虫を寄せつけない。また、住まいの中にかびが発生すると種々の疾病が発生するが、除湿の効果があるのでかびを発生させない。また、原料の木や竹のエキスには、ヘキサン、ベンゼン、エーテル、アルコール、アセトン等の成分が含まれているから、抗菌効果や、薬用効果があり、肝臓病や糖尿病に効果がある。
また、原料の炭はマイナスイオン効果、アルカリ効果、ミネラル効果があり、気分をリラックスさせ、酸性を防止し、成育を補助する。
また、寝袋１の外周をアルミシート１５により被覆するので、アルミシート１５が人体の発する遠赤外線の熱を反射し、保温効果が高く、野営することが可能となる。
また、本考案は、寝袋１内に折り畳んだマット５とアルミシート１５を入れた状態で格納できるので、災害時に、すぐに携帯でき、非常に便利であり、また、寝袋１とマット５とアルミシート１５とを組合せて使用するのみならず、マット５は収納袋として、マット５はベッドや布団のマットとしても個別に使用することができ、頗る使用範囲が広い。
【実施例】
【０００６】
本考案の実施例を図面により説明すると、１は災害袋Ｓの構成物品の一つを構成する寝袋であり、寝袋１の一端には人体が入れる開口部２を有して筒状に形成する。寝袋１は、綿素材により所定厚さに形成する。開口部２には紐３を周縁に挿通し、紐３により開口部２の大きさを調節可能にしている。４は紐３を止める固定具である。実施例では、寝袋１の両端に紐３を設け、寝袋１を半分に折り畳めるようにしている。
【０００７】
寝袋１内には、マット５を前記開口部２から挿入する。マット５は、芯材６の表裏を布地７により被覆して形成する。芯材６は、破砕した軟質炭８と天然のパルプ９と組み合わせて所定の厚さの平板形状に形成する。
即ち、芯材６は、樫、椎、桜、楓、椿、竹等の樹木を３００℃程度の低温度で炭焼きして煙と乾留液を得、煙は室外に排煙し、該乾留液を貯留タンクに貯留して熟成し、熟成した乾留液を蒸留精製して形成した原液１０を、図３のように破砕した軟質炭８にまぶして吸着させ、これを天然のパルプ９に練り込んで乾燥させて形成する。この芯材６の布地７で被覆して縫製等の手段により互いに固定する。
【０００８】
しかして、寝袋１の外周面には、アルミシート１５を着脱自在に取付ける。アルミシート１５は単なるシート形状に形成するが、少なくとも、筒状にしたとき、寝袋１の長さ方向の外周を被覆しうる大きさに形成する。アルミシート１５は、アルミ材１６を有して人体の発する遠赤外線の熱を反射するように形成する。
【０００９】
実施例では、発泡ポリエチレン層１７の外面に前記アルミ材１６を蒸着させたアルミ蒸着ポリエステル層１８を形成している。１９はアルミ蒸着ポリエステル層１８の内面に設けたポリエステル層であり、発泡ポリエチレン層１７とアルミ蒸着ポリエステル層１８とポリエステル層１９とは適宜の接着剤（ポリエチレン）等により接着する。
【００１０】
また、アルミシート１５と寝袋１には夫々面状ファスナー等の貼着具２０を設け、貼着具２０によりアルミシート１５と寝袋１とを互いに反復して接離するように固定する。
【００１１】
（実施例の作用）
次に作用を述べる。
本考案の構成は上記のとおりで、寝袋１の開口部２よりマット５を挿入して、寝袋１内の下に敷き、この寝袋１を所定場所に敷設したアルミシート１５上に載置し、開口部２より身体を寝袋１内に入れて、寝袋１の外周にアルミシート１５を巻き付けて使用する。
【００１２】
寝袋１は、綿素材により所定厚さに形成しているから、通気性がよく寝袋１内で快適に過ごせる。
寝袋１内には、マット５が挿入されているから、長時間使用しても、体を動かすと、マット５は寝袋１に対して滑るので、床ずれができない。
【００１３】
マット５は、軟質炭８を混入させた芯材６により形成しているので、湿気および臭いを吸着し、寝袋１内で長時間快適に過ごせる。また、マット５は、軟質炭８および芯材６により適度な空隙が形成されるので、断熱効果が期待でき、通気性のよい寝袋１を使用しても、底冷えを緩和させられる。
【００１４】
また、マット５上で就寝すると、アトピー性皮膚炎等アレルギー疾患を悪化させない。即ち、主成分が炭であるから、脱臭、吸着、除湿の効果に優れ、害虫を寄せつけない。
また、住まいの中にかびが発生すると種々の疾病が発生するが、マット５上で就寝すると、除湿の効果があるのでかびを発生させない。
【００１５】
また、原料の木や竹のエキスには、ヘキサン、ベンゼン、エーテル、アルコール、アセトン等の成分が含まれているから、抗菌効果や、薬用効果があり、肝臓病や糖尿病に効果がある。
また、原料の炭はマイナスイオン効果、アルカリ効果、ミネラル効果があり、気分をリラックスさせ、酸性を防止し、成育を補助する。
【００１６】
しかして、寝袋１の外周には、アルミシート１５を巻くように装着するので、人体の発する遠赤外線の熱を反射して寝袋１内を所定温度に保温する。
【００１７】
また、アルミシート１５は、引っ張り荷重に対する強度が高く、野外で使用しても切れることはなく、また、防水、防光、防風効果が高いので、寝袋１の外周にアルミシート１５を巻くことで、寝袋１の耐久性を向上させ、寝袋１の周辺環境を快適に保持する。
【００１８】
この場合、マット５の原料の炭は遠赤外線を放射するので暖める効果があり、アルミシート１５と相俟ってアルミシート１５内の温度を高め、快適にする。
【００１９】
しかして、災害袋災害袋Ｓは、寝袋１内に折り畳んだマット５とアルミシート１５を入れた状態で、緊急時の他の災害グッズと一緒に所定位置に格納しておくと、災害時に、すぐに携帯でき、非常に便利である。
【００２０】
また、災害袋Ｓは、寝袋１とマット５とアルミシート１５とを組合せて使用するのみならず、マット５は収納袋として、マット５はベッドや布団のマットとしても個別に使用することができ、頗る使用範囲が広い。
【００２１】
この場合、寝袋１を中途部分から折り重ねて、寝袋１の両端の紐３を一緒にすると、この寝袋１内にマット５およびアルミシート１５を入れて収納しても、寝袋１が伸びたり弛んだりせず、収納スペースを小さくでき、収納・格納が容易である。
【図面の簡単な説明】
【００２２】
【図１】災害袋の使用状態の斜視図。
【図２】マットの芯材の斜視図。
【図３】粉砕した炭に原液をまぶした状態図。
【図４】マットの布地の一部を剥した状態の斜視図、
【図５】アルミシートの断面図。
【図６】寝袋とマットとシートを組合せる状態の斜視図。サポータの正面図。
【図７】寝袋にマットとシートを収納するの斜視図。
【図８】災害袋の収納状態の一例の斜視図。
【符号の説明】
【００２３】
１…寝袋、２…開口部、３…紐、５…マット、７…布地、６…芯材、８…軟質炭、９…パルプ、１５…アルミシート、１６…アルミ材、１７…発泡ポリエチレン層、１８…アルミ蒸着ポリエステル層、２０…貼着具。
【図１】
0003112197.tif 000003
【図２】
0003112197.tif 000004
【図３】
0003112197.tif 000005
【図４】
0003112197.tif 000006
【図５】
0003112197.tif 000007
【図６】
0003112197.tif 000008
【図７】
0003112197.tif 000009
【図８】
0003112197.tif 000010